(57)【要約】      （修正有）【課題】埋設された長尺棒状埋設物を容易に、且つ曲がったり折れたりしないように引き抜く。【解決手段】長尺棒状埋設物を引き抜く治具であって、長尺棒状埋設物に嵌合する嵌合支持部１の一端部に対して、長尺棒状埋設物の軸線と交差する方向を長手方向とする取っ手部２が下向き傾斜状に連設されてなる治具本体を２個一対として使用する。【選択図】図１
0003124936.tif 000002
【実用新案登録請求の範囲】
【請求項１】
長尺棒状埋設物を引き抜く治具であって、長尺棒状埋設物に嵌合する嵌合支持部の一端部に対して、長尺棒状埋設物の軸線と交差する方向を長手方向とする取っ手部が下向き傾斜状に連設されてなる治具本体を2個一対として使用されるものであり、
前記嵌合支持部は、長尺棒状埋設物に対して嵌合する嵌合部が形成され、当該前記嵌合部は、長尺棒状嵌合物に対する嵌合時において、当該長尺棒状埋設物の側面に対して径方向に対向状に位置する少なくとも2つの支持縁部を有してなり、
前記嵌合部の長尺棒状嵌合物に対する嵌合時において、前記取っ手部を上方へ回動させるように持ち上げることにより、前記両支持縁部が長尺棒状埋設物の側面に対して互いに逆方向から押し付けるように接触し、当該接触状態から取っ手部を上方へ持ち上げる動作により、前記両支持部の長尺棒状埋設物の側面に対する押し付け接触力を増強するようにされていることを特徴とする長尺棒状埋設物引抜治具。
【請求項２】
前記嵌合部は、長尺棒状埋設物に対してその側面から嵌合可能な凹状形態であることを特徴とする請求項１に記載の長尺棒状埋設物引抜治具。
【請求項３】
前記嵌合部は、長尺棒状埋設物に対してその上面から嵌合可能な孔状形態であることを特徴とする請求項１に記載の長尺棒状埋設物引抜治具。
【考案の詳細な説明】
【技術分野】
【０００１】
本考案は、金属材、木材、硬質の合成樹脂材からなる長尺のパイプや棒状体等の長尺棒状埋設物を引抜く際に用いられる治具に関する。
【背景技術】
【０００２】
従来、畑や工事現場等に埋設されている金属材、木材、硬質の合成樹脂材からなる長尺のパイプや棒状体等の長尺棒状埋設物を引抜く際には、作業者が自らの手で長尺棒状埋設物を握って引き抜いている。
【考案の開示】
【考案が解決しようとする課題】
【０００３】
ところで、埋設された長尺棒状埋設物を引き抜くには大きな力が必要であるが、長尺棒状埋設物を手で握って引き抜くという動作に対しては、力を加えにくい上に、握った手が滑らないような握力も要する。
そして、抜きにくい場合には、長尺棒状埋設物を前後・左右に振り、当該長尺棒状埋設物周りの穴を徐々に拡げながら引き抜いているが、長尺棒状埋設物を前後・左右に振った際に、当該長尺棒状埋設物が曲がったり折れたりすることがあった。
前記長尺棒状埋設物が曲がったり折れたりすると、再度使用する際においては、曲がりを直す作業を要し、折れてしまうと再度使用できなくなるばかりか、引き抜くことも困難になってしまうこともあった。
本出願人は、埋設された長尺棒状埋設物を容易に、且つ曲がったり折れたり引き抜くという観点から、鋭意研究の結果、本考案に至ったものである。
尚、本考案に関連する先行技術文献情報に関しては、本出願人の知り得る範囲において存在しない。
【０００４】
そこで本考案は、埋設された長尺棒状埋設物を容易に、且つ曲がったり折れたりしないように引き抜くことを課題とし、この課題を解決した長尺棒状埋設物引抜治具の提供を目的とする。
【課題を解決するための手段】
【０００５】
前記目的を達成するために、本考案が採用した技術的手段は、長尺棒状埋設物を引き抜く治具であって、長尺棒状埋設物に嵌合する嵌合支持部の一端部に対して、長尺棒状埋設物の軸線と交差する方向を長手方向とする取っ手部が下向き傾斜状に連設されてなる治具本体を2個一対として使用されるものであり、
前記嵌合支持部は、長尺棒状埋設物に対して嵌合する嵌合部が形成され、当該前記嵌合部は、長尺棒状嵌合物に対する嵌合時において、当該長尺棒状埋設物の側面に対して径方向に対向状に位置する少なくとも2つの支持縁部を有してなり、
前記嵌合部の長尺棒状嵌合物に対する嵌合時において、前記取っ手部を上方へ回動させるように持ち上げることにより、前記両支持縁部が長尺棒状埋設物の側面に対して互いに逆方向から押し付けるように接触し、当該接触状態から取っ手部を上方へ持ち上げる動作により、前記両支持部の長尺棒状埋設物の側面に対する押し付け接触力を増強するようにされていることを特徴とする長尺棒状埋設物引抜治具としたことである。
【０００６】
本考案でいう長尺棒状埋設物とは、金属材、木材、硬質の合成樹脂材からなる長尺のパイプや棒状体等であり、その断面形状として、断面円形状や断面角形状等の各種形状を含む。
【０００７】
前記嵌合部は、長尺棒状埋設物に対する嵌合時において、前記取っ手部の長手方向が長尺棒状埋設物の軸線方向と交差する方向となるような形態に形成されていればよく、その形態として、例えば、長尺棒状埋設物に対してその側面から嵌合可能な凹状形態、長尺棒状埋設物に対してその上面から嵌合可能な孔状形態が挙げられる。
【考案の効果】
【０００８】
本考案の長尺棒状埋設物引抜治具によれば、埋設された長尺棒状埋設物を容易に、且つ曲がったり折れたりしないように引き抜くことができる。
【考案を実施するための最良の形態】
【０００９】
以下、本考案の長尺棒状埋設物引抜治具（以下、「引抜治具」という）を実施するための最良の形態を図面に基づいて説明する。
本形態の引抜治具Ａは、図１及び図２に示すように、金属板状の嵌合支持部１と、当該嵌合支持部１の図面上側縁部に連設された金属板状の取っ手部２とからなる２個の治具本体３,４からなる。
具体的には、前記治具本体３,４の取っ手部２の後端側同士を紐状の連結部材５で連結することにより構成されている。
【００１０】
前記嵌合支持部１には、本形態の長尺棒状埋設物である丸パイプＢに嵌合する嵌合部６が形成されている。
本形態の嵌合部６は、嵌合支持部１の図面上前縁部から前記取っ手部２の長手方向と直交するように平面方向、且つ中心方向に向けて凹状に切り欠き形成されている。
又、前記嵌合部６は、丸パイプＢの図面上左右両側に位置する縁を支持縁部６１,６２ととし、後端縁６３が半円状に形成されている。
前記支持縁部６１と支持縁部６２との間隔は、前記丸パイプＢの径よりも若干幅広とされ、嵌合部６を丸パイプＢに対して嵌脱させる際に、嵌合部６と丸パイプＢとの接触摩擦力を提言するようにしている。
【００１１】
前記取っ手部２は、前記嵌合支持部１の幅よりも狭幅に形成されたものであり、当該嵌合支持部１に対して、下向き傾斜状に連設されている。
又、取っ手部２の下向き傾斜角度は、丸パイプＢに対して嵌合支持部１を嵌合させて取っ手部２を上方へ回動するように持ち上げて、前記支持縁部６１，６２が丸パイプＢの周面Ｂ１に接触した際に、取っ手部２が略平行状となるような角度にされている。
【００１２】
以下、本形態の引抜治具Ａの使用方法を図及び図に基づいて説明する。
第１工程：治具本体３，４を夫々の取っ手部２が左右逆向きとなるようにするとともに、両嵌合支持部１が互いに上下方向に重なるようにして、丸パイプＢに対して嵌合する（図参照）。
第２工程：前記両取っ手部２を上方に持ち上げる。
このとき、両取っ手部は、上方に持ち上げられることにより回動するように動作し、この回動により丸パイプＢに嵌合した嵌合部６における支持縁部６１，６２が、丸パイプＢの周面Ｂ１に対して互いに逆方向から押し付けるように接触し、この押し付け接触力により引抜治具Ａと丸パイプＢとが一体状となり、そのまま前記両取っ手部２を上方に持ち上げることによって、丸パイプＢを引き抜くことができる。
【００１３】
すなわち、引抜治具Ａを、丸パイプＢを引き抜く方向（上方）へ持ち上げることによって、丸パイプＢの周面Ｂ１に対する支持縁部６１，６２の押し付け接触力が発生するが、この押し付け接触力は、引抜治具Ａに作用させる持ち上げ力（引き抜き方向への力）に対し、この力に抗する丸パイプＢの埋設抵抗力が作用するため、前記持ち上げ力を増やせば、これに伴って、丸パイプＢの周面Ｂ１に対する支持縁部６１，６２の押し付け接触力が増強される。
したがって、引抜治具Ａを引く抜く力である持ち上げ力がそのまま丸パイプＢの周面Ｂ１に対する支持縁部６１，６２の押し付け接触力となるため、引抜治具Ａに対して持ち上げ力を加えれば、当該引抜治具Ａと丸パイプＢとの一体状態が保持されて、前記持ち上げ力を丸パイプＢに対して伝えることができる。
よって、埋設された丸パイプＢを容易に、且つ曲がったり折れたりしないように引き抜くことができる。
【００１４】
なお、本考案は、例示した実施の形態に限定するものではなく、実用新案登録請求の範囲に記載された内容から逸脱することなく、他の構成による実施も可能である。
【図面の簡単な説明】
【００１５】
【図１】本考案に係る引抜治具の平面図。
【図２】図１の側面図。
【図３】引抜工程を示し、（ａ）は引抜治具を丸パイプに嵌合した状態を示し、（ｂ）は引抜治具を持ち上げた状態を示す。
【符号の説明】
【００１６】
Ａ：引抜治具
Ｂ：丸パイプ（長尺棒状埋設物）
Ｂ１：周面
１：嵌合支持部
２：取っ手部
３：治具本体
４：治具本体
５：連結部材
６：嵌合部
６１：支持縁部
６２：支持縁部
【図１】
0003124936.tif 000003
【図２】
0003124936.tif 000004
【図３】
0003124936.tif 000005